(57)【要約】【課題】　基地局が移動体端末との間で通信が可能な通信可能エリアに対し、情報配信側任意に設定したゾーン内に存在する移動体端末に対して情報の配信を行う。【解決手段】　広告事業者が任意のゾーンを設定し、このゾーンに対して情報を指定する。一方、ゾーン内に存在する移動体端末に対しては、情報配信サーバ１００から情報の配信が行われる。このため、基地局の通信可能エリアに拘束されない、情報配信側が任意に設定するゾーンを単位として情報の配信を行うことができる。【選択図】　　　　図１１
2004104778.tif 000002
【特許請求の範囲】
【請求項１】
　基地局が移動体端末との間で通信が可能な通信可能エリアに対して独立して設定可能な地域をゾーンとし、
　移動体端末と、
　予め指定された前記ゾーン内に存在する前記移動体端末に情報の配信を行う情報配信サーバと、を備えた
　ことを特徴とする情報配信システム。
【請求項２】
　情報配信サーバからの情報を移動体端末に配信する情報配信システムであって、
　前記移動体端末は、
　当該移動体端末の位置を測定する測位手段と、
　前記測位手段によって測定された位置を測位データとして基地局を介してネットワークに送信すると共に、前記ネットワークおよび基地局を介して送信される情報を受信する送受信手段と、を備え、
　前記情報配信サーバは、
　前記基地局が前記移動体端末との間で通信が可能な通信可能エリアに対して独立して設定されたゾーンを表すデータを記憶したゾーンデータ記憶手段と、
　前記ゾーンに対して配信する情報を記憶した情報記憶手段と、
　前記ネットワークを介して前記測位データを取得する測位データ取得手段と、
　取得された前記測位データに基づいて前記ゾーン内に存在する前記移動体端末を検出する端末検出手段と、
　前記ゾーン内に存在する前記移動体端末に対して前記情報を送信する情報送信手段と、を備えた
　ことを特徴とする情報配信システム。
【請求項３】
　情報配信サーバからの情報を移動体端末に配信する情報配信システムであって、
　前記移動体端末は、
　当該移動体端末の位置を測定する測位手段と、
　前記測位手段によって測定された位置を測位データとして基地局を介してネットワークに送信すると共に、前記ネットワークおよび基地局を介して送信される情報を受信する送受信手段と、を備え、
　前記情報配信サーバは、
　前記基地局が前記移動体端末との間で通信が可能な通信可能エリアに対して独立して設定された複数個のゾーンを表すデータを、各ゾーンに対応付けて記憶したゾーンデータ記憶手段と、
　前記各ゾーンに対して配信する情報を各ゾーンに対応付けて記憶した情報記憶手段と、
　前記ネットワークを介して前記測位データを取得する測位データ取得手段と、
　取得された前記測位データに基づいて前記各ゾーン内に存在する前記移動体端末を検出する端末検出手段と、
　前記各ゾーン内に存在する移動体端末に対し、前記ゾーン毎に対応した前記情報をそれぞれ送信する情報送信手段と、を備えた
　ことを特徴とする情報配信システム。
【請求項４】
　情報配信サーバからの情報を移動体端末に配信する情報配信システムであって、
　前記移動体端末は、
　当該移動体端末の位置を測定する測位手段と、
　前記測位手段によって測定された位置を測位データとして基地局を介してネットワークに送信すると共に、前記ネットワークおよび基地局を介して送信される情報を受信する送受信手段と、を備え、
　前記情報配信サーバは、
　前記基地局が前記移動体端末との間で通信が可能な通信可能エリアに対して独立して設定されたゾーンを表すデータを記憶したゾーンデータ記憶手段と、
　前記ゾーンに対して配信する情報を記憶した情報記憶手段と、
　予め登録された移動体端末によってグループを構成し、このグループを構成する前記移動体端末を表すデータを記憶したグループ端末データ記憶手段と、
　前記ネットワークを介して前記測位データを取得する測位データ取得手段と、
　取得された前記測位データに基づいて、前記ゾーン内に存在し且つ前記グループに属する移動体端末を検出する端末検出手段と、
　前記ゾーン内に存在し且つグループに属する移動体端末に対して前記情報を配信する情報配信手段と、を備えた
　ことを特徴とする情報配信システム。
【請求項５】
　請求項２、３または４記載の情報配信システムにおいて、
　前記端末検出手段は、定期的に前記ゾーン内に存在する移動体端末の検出を行う
　ことを特徴とする情報配信システム。
【請求項６】
　請求項２、３または４記載の情報配信システムにおいて、
　検出された移動体端末を表すデータを記憶する検出端末データ記憶手段を有し、
　前記端末検出手段は、前記測位データが変化する度に、前記ゾーン内に存在する移動体端末の検出を行い、
　前記検出端末データ記憶手段はデータを記憶更新する
　ことを特徴とする情報配信システム。
【請求項７】
　請求項１〜６記載の情報配信システムにおいて、
　前記ゾーンは前記通信可能エリア内に含まれるように設定された
　ことを特徴とする情報配信システム。
【請求項８】
　請求項１〜６記載の情報配信システムにおいて、
　前記ゾーンは前記通信可能エリアを跨いで設定された
　ことを特徴とする情報配信システム。
【請求項９】
　請求項１〜６記載の情報配信システムにおいて、
　前記ゾーンは前記通信可能エリアを組み合わせて設定された
　ことを特徴とする情報配信システム。
【請求項１０】
　移動体端末に情報配信サーバからの情報を配信する情報配信システムの制御方法であって、
　前記移動体端末の位置を測定するステップと、
　測定された前記移動体端末の位置を測位データとして基地局を介してネットワークに送信するステップと、
　前記ネットワークを介して取得した前記測位データに基づいて、前記基地局が前記移動体端末との間で通信が可能な通信可能エリアに対して独立して設定されたゾーン内に存在する移動体端末を検出するステップと、
　前記ゾーン内に存在する移動体端末に対して前記情報を送信するステップと、を備えた
　ことを特徴とする情報配信システムの制御方法。
【請求項１１】
　移動体端末に情報配信サーバからの情報を配信する情報配信システムの制御方法であって、
　前記移動体端末の位置を測定するステップと、
　測定された前記移動体端末の位置を測位データとして基地局を介してネットワークに送信するステップと、
　前記ネットワークを介して取得した前記測位データに基づいて、前記基地局が前記移動体端末との間で通信が可能な通信可能エリアに対して独立して設定された複数個のゾーンのうち、各ゾーン内に存在する移動体端末を検出するステップと、
　前記各ゾーン内に存在する移動体端末に対し、前記ゾーン毎に対応した情報をそれぞれ送信するステップと、を備えた
　ことを特徴とする情報配信システムの制御方法。
【請求項１２】
　移動体端末に情報配信サーバからの情報を配信する情報配信システムの制御方法であって、
　前記移動体端末の位置を測定するステップと、
　測定された前記移動体端末の位置を測位データとして基地局を介してネットワークに送信するステップと、
　前記ネットワークを介して取得した前記測位データに基づいて、前記基地局が前記移動体端末との間で通信が可能な通信可能エリアに対して独立して設定されたゾーン内に存在し、且つ予め登録された移動体端末によって構成されたグループに属する移動体端末を検出するステップと、
　前記ゾーン内に存在し、且つ前記グループに属する移動体端末に対して情報を送信するステップと、を備えた
　ことを特徴とする情報配信システムの制御方法。
【請求項１３】
　移動体端末に情報を配信する情報配信サーバであって、
　基地局が前記移動体端末との間で通信が可能な通信可能エリアに対して独立して設定されたゾーンを表すデータを記憶したゾーンデータ記憶手段と、
　前記ゾーンに対して配信する情報を記憶した情報記憶手段と、
　ネットワークを介して前記移動体端末の測位データを取得する測位データ取得手段と、
　取得された前記測位データに基づいて前記ゾーン内に存在する前記移動体端末を検出する端末検出手段と、
　前記ゾーン内に存在する前記移動体端末に対して前記情報を送信する情報送信手段と、を具備した
　ことを特徴とする情報配信サーバ。
【請求項１４】
　移動体端末に情報を配信する情報配信サーバであって、
　基地局が前記移動体端末との間で通信が可能な通信可能エリアに対して独立して設定された複数個のゾーンを表すデータを、各ゾーンに対応付けて記憶したゾーンデータ記憶手段と、
　前記各ゾーンに対して配信する情報を各ゾーンに対応付けて記憶した情報記憶手段と、
　ネットワークを介して前記移動体端末の測位データを取得する測位データ取得手段と、
　取得された前記測位データに基づいて前記各ゾーン内に存在する前記移動体端末を検出する端末検出手段と、
　前記各ゾーン内に存在する移動体端末に対し、前記ゾーン毎に対応した前記情報をそれぞれ送信する情報送信手段と、を具備した
　ことを特徴とする情報配信サーバ。
【請求項１５】
　移動体端末に情報を配信する情報配信サーバであって、
　基地局が前記移動体端末との間で通信が可能な通信可能エリアに対して独立して設定されたゾーンを表すデータを記憶したゾーンデータ記憶手段と、
　前記ゾーンに対して配信する情報を記憶した情報記憶手段と、
　予め登録された移動体端末によってグループを構成し、このグループを構成する前記移動体端末を表すデータを記憶したグループ端末データ記憶手段と、
　ネットワークを介して前記移動体端末の測位データを取得する測位データ取得手段と、
　取得された前記測位データに基づいて、前記ゾーン内に存在し且つ前記グループに属する移動体端末を検出する端末検出手段と、
　前記ゾーン内に存在し、且つグループに属する移動体端末に対して前記情報を配信する情報配信手段と、を具備した
　ことを特徴とする情報配信サーバ。
【請求項１６】
　請求項１３、１４または１５記載の情報配信サーバにおいて、
　前記端末検出手段は、定期的に前記ゾーン内に存在する移動体端末の検出を行う
　ことを特徴とする情報配信サーバ。
【請求項１７】
　請求項１３、１４または１５記載の情報配信サーバにおいて、
　検出された移動体端末を表すデータを記憶する検出端末データ記憶手段を有し、
　前記端末検出手段は、前記測位データが変化する度に、前記ゾーン内に存在する移動体端末の検出を行い、
　前記検出端末データ記憶手段はデータを記憶更新する
　ことを特徴とする情報配信サーバ。
【発明の詳細な説明】
【技術分野】
【０００１】
　本発明は、例えば携帯電話等の移動体端末に対して情報の配信を行う情報配信システム、情報配信システムの制御方法およびこのシステムに用いられる情報配信サーバに関する。
【背景技術】
【０００２】
　昨今、携帯電話やＰＨＳ（personal handyphone system：登録商標）といった移動体端末に対して、種々の情報を配信する情報配信システムが広く普及している。また、情報配信側が、基地局が移動体端末との間で通信が可能な通信可能エリアを特定し、この通信可能エリア内に存在する移動体端末にのみ情報を配信するシステムもある。
　このような情報配信システムを利用したサービスに用いられる情報としては、例えば気象情報や観光案内情報といったものがある。
【０００３】
　ところで、このような情報配信システムでは、移動体端末を使用するユーザの位置に拘わらず、無条件に情報が配信されていた。このため、ユーザが必要としない情報が配信されることがあり、ユーザにとって煩わしい状況となっていた。
　或いは、情報配信側が特定した通信可能エリアにのみに情報を配信するシステムでは、限定された移動体端末にのみ情報を配信されるものの、通信可能エリアは基地局の位置によって規定されているため、情報が配信される範囲は通信可能エリアに拘束されてしまっていた。
【発明の開示】
【発明が解決しようとする課題】
【０００４】
　本発明は、以上の問題に鑑みてなされたものであり、情報配信側が任意に設定したゾーン内に存在する移動体端末に対して情報の配信を行うことのできる情報配信システム、このシステムの制御方法および情報配信サーバを提供することを目的とする。
【課題を解決するための手段】
【０００５】
　上述した課題を解決するために、請求項１記載の発明は、基地局が移動体端末との間で通信が可能な通信可能エリアに対して独立して設定可能な地域をゾーンとし、
　移動体端末と、
　予め指定された前記ゾーン内に存在する前記移動体端末に情報の配信を行う情報配信サーバと、を備えた
　ことを特徴としている。
【０００６】
　請求項２記載の発明は、情報配信サーバからの情報を移動体端末に配信する情報配信システムであって、
　前記移動体端末は、
　当該移動体端末の位置を測定する測位手段と、
　前記測位手段によって測定された位置を測位データとして基地局を介してネットワークに送信すると共に、前記ネットワークおよび基地局を介して送信される情報を受信する送受信手段と、を備え、
　前記情報配信サーバは、
　前記基地局が前記移動体端末との間で通信が可能な通信可能エリアに対して独立して設定されたゾーンを表すデータを記憶したゾーンデータ記憶手段と、
　前記ゾーンに対して配信する情報を記憶した情報記憶手段と、
　前記ネットワークを介して前記測位データを取得する測位データ取得手段と、
　取得された前記測位データに基づいて前記ゾーン内に存在する前記移動体端末を検出する端末検出手段と、
　前記ゾーン内に存在する前記移動体端末に対して前記情報を送信する情報送信手段と、を備えた
　ことを特徴としている。
【０００７】
　請求項３記載の発明は、情報配信サーバからの情報を移動体端末に配信する情報配信システムであって、
　前記移動体端末は、
　当該移動体端末の位置を測定する測位手段と、
　前記測位手段によって測定された位置を測位データとして基地局を介してネットワークに送信すると共に、前記ネットワークおよび基地局を介して送信される情報を受信する送受信手段と、を備え、
　前記情報配信サーバは、
　前記基地局が前記移動体端末との間で通信が可能な通信可能エリアに対して独立して設定された複数個のゾーンを表すデータを、各ゾーンに対応付けて記憶したゾーンデータ記憶手段と、
　前記各ゾーンに対して配信する情報を各ゾーンに対応付けて記憶した情報記憶手段と、
　前記ネットワークを介して前記測位データを取得する測位データ取得手段と、
　取得された前記測位データに基づいて前記各ゾーン内に存在する前記移動体端末を検出する端末検出手段と、
　前記各ゾーン内に存在する移動体端末に対し、前記ゾーン毎に対応した前記情報をそれぞれ送信する情報送信手段と、を備えた
　ことを特徴としている。
【０００８】
　請求項４記載の発明は、情報配信サーバからの情報を移動体端末に配信する情報配信システムであって、
　前記移動体端末は、
　当該移動体端末の位置を測定する測位手段と、
　前記測位手段によって測定された位置を測位データとして基地局を介してネットワークに送信すると共に、前記ネットワークおよび基地局を介して送信される情報を受信する送受信手段と、を備え、
　前記情報配信サーバは、
　前記基地局が前記移動体端末との間で通信が可能な通信可能エリアに対して独立して設定されたゾーンを表すデータを記憶したゾーンデータ記憶手段と、
　前記ゾーンに対して配信する情報を記憶した情報記憶手段と、
　予め登録された移動体端末によってグループを構成し、このグループを構成する前記移動体端末を表すデータを記憶したグループ端末データ記憶手段と、
　前記ネットワークを介して前記測位データを取得する測位データ取得手段と、
　取得された前記測位データに基づいて、前記ゾーン内に存在し且つ前記グループに属する移動体端末を検出する端末検出手段と、
　前記ゾーン内に存在し且つグループに属する移動体端末に対して前記情報を配信する情報配信手段と、を備えた
　ことを特徴としている。
【０００９】
　請求項５記載の発明は、請求項２、３または４記載の情報配信システムにおいて、
　前記端末検出手段は、定期的に前記ゾーン内に存在する移動体端末の検出を行う
　ことを特徴としている。
【００１０】
　請求項６記載の発明は、請求項２、３または４記載の情報配信システムにおいて、
　検出された移動体端末を表すデータを記憶する検出端末データ記憶手段を有し、
　前記端末検出手段は、前記測位データが変化する度に、前記ゾーン内に存在する移動体端末の検出を行い、
　前記検出端末データ記憶手段はデータを記憶更新する
　ことを特徴としている。
【００１１】
　請求項７記載の発明は、請求項１〜６記載の情報配信システムにおいて、
　前記ゾーンは前記通信可能エリア内に含まれるように設定された
　ことを特徴としている。
【００１２】
　請求項８記載の発明は、請求項１〜６記載の情報配信システムにおいて、
　前記ゾーンは前記通信可能エリアを跨いで設定された
　ことを特徴としている。
【００１３】
　請求項９記載の発明は、請求項１〜６記載の情報配信システムにおいて、
　前記ゾーンは前記通信可能エリアを組み合わせて設定された
　ことを特徴としている。
【００１４】
　請求項１０記載の発明は、移動体端末に情報配信サーバからの情報を配信する情報配信システムの制御方法であって、
　前記移動体端末の位置を測定するステップと、
　測定された前記移動体端末の位置を測位データとして基地局を介してネットワークに送信するステップと、
　前記ネットワークを介して取得した前記測位データに基づいて、前記基地局が前記移動体端末との間で通信が可能な通信可能エリアに対して独立して設定されたゾーン内に存在する移動体端末を検出するステップと、
　前記ゾーン内に存在する移動体端末に対して前記情報を送信するステップと、を備えた
　ことを特徴としている。
【００１５】
　請求項１１記載の発明は、移動体端末に情報配信サーバからの情報を配信する情報配信システムの制御方法であって、
　前記移動体端末の位置を測定するステップと、
　測定された前記移動体端末の位置を測位データとして基地局を介してネットワークに送信するステップと、
　前記ネットワークを介して取得した前記測位データに基づいて、前記基地局が前記移動体端末との間で通信が可能な通信可能エリアに対して独立して設定された複数個のゾーンのうち、各ゾーン内に存在する移動体端末を検出するステップと、
　前記各ゾーン内に存在する移動体端末に対し、前記ゾーン毎に対応した情報をそれぞれ送信するステップと、を備えた
　ことを特徴としている。
【００１６】
　請求項１２記載の発明は、移動体端末に情報配信サーバからの情報を配信する情報配信システムの制御方法であって、
　前記移動体端末の位置を測定するステップと、
　測定された前記移動体端末の位置を測位データとして基地局を介してネットワークに送信するステップと、
　前記ネットワークを介して取得した前記測位データに基づいて、前記基地局が前記移動体端末との間で通信が可能な通信可能エリアに対して独立して設定されたゾーン内に存在し、且つ予め登録された移動体端末によって構成されたグループに属する移動体端末を検出するステップと、
　前記ゾーン内に存在し、且つ前記グループに属する移動体端末に対して情報を送信するステップと、を備えた
　ことを特徴としている。
【００１７】
　請求項１３記載の発明は、移動体端末に情報を配信する情報配信サーバであって、
　基地局が前記移動体端末との間で通信が可能な通信可能エリアに対して独立して設定されたゾーンを表すデータを記憶したゾーンデータ記憶手段と、
　前記ゾーンに対して配信する情報を記憶した情報記憶手段と、
　ネットワークを介して前記移動体端末の測位データを取得する測位データ取得手段と、
　取得された前記測位データに基づいて前記ゾーン内に存在する前記移動体端末を検出する端末検出手段と、
　前記ゾーン内に存在する前記移動体端末に対して前記情報を送信する情報送信手段と、を具備した
　ことを特徴としている。
【００１８】
　請求項１４記載の発明は、移動体端末に情報を配信する情報配信サーバであって、
　基地局が前記移動体端末との間で通信が可能な通信可能エリアに対して独立して設定された複数個のゾーンを表すデータを、各ゾーンに対応付けて記憶したゾーンデータ記憶手段と、
　前記各ゾーンに対して配信する情報を各ゾーンに対応付けて記憶した情報記憶手段と、
　ネットワークを介して前記移動体端末の測位データを取得する測位データ取得手段と、
　取得された前記測位データに基づいて前記各ゾーン内に存在する前記移動体端末を検出する端末検出手段と、
　前記各ゾーン内に存在する移動体端末に対し、前記ゾーン毎に対応した前記情報をそれぞれ送信する情報送信手段と、を具備した
　ことを特徴としている。
【００１９】
　請求項１５記載の発明は、移動体端末に情報を配信する情報配信サーバであって、
　基地局が前記移動体端末との間で通信が可能な通信可能エリアに対して独立して設定されたゾーンを表すデータを記憶したゾーンデータ記憶手段と、
　前記ゾーンに対して配信する情報を記憶した情報記憶手段と、
　予め登録された移動体端末によってグループを構成し、このグループを構成する前記移動体端末を表すデータを記憶したグループ端末データ記憶手段と、
　ネットワークを介して前記移動体端末の測位データを取得する測位データ取得手段と、
　取得された前記測位データに基づいて、前記ゾーン内に存在し且つ前記グループに属する移動体端末を検出する端末検出手段と、
　前記ゾーン内に存在し、且つグループに属する移動体端末に対して前記情報を配信する情報配信手段と、を具備した
　ことを特徴としている。
【００２０】
　請求項１６記載の発明は、請求項１３、１４または１５記載の情報配信サーバにおいて、
　前記端末検出手段は、定期的に前記ゾーン内に存在する移動体端末の検出を行う
　ことを特徴としている。
【００２１】
　請求項１７記載の発明は、請求項１３、１４または１５記載の情報配信サーバにおいて、
　検出された移動体端末を表すデータを記憶する検出端末データ記憶手段を有し、
　前記端末検出手段は、前記測位データが変化する度に、前記ゾーン内に存在する移動体端末の検出を行い、
　前記検出端末データ記憶手段はデータを記憶更新する
　ことを特徴としている。
【発明の効果】
【００２２】
　本発明は、基地局が移動体端末との間で通信が可能な通信可能エリアに対し、情報配信側任意に設定したゾーン内に存在する移動体端末に対して情報の配信を行うことができる。
【発明を実施するための最良の形態】
【００２３】
　次に本発明の好適な実施形態について図面を参照しながら説明する。
【００２４】
［１］　第１実施形態
［１・１］　第１実施形態の大略構成
　図１は、本発明の第１実施形態による情報配信システムの構成図である。
　この情報配信システムは、情報配信サーバ１００からの情報を移動体端末１０に配信するものである。例えば、この情報配信サーバ１００は、情報を配信する事業者によって運営されるものとする。
　情報配信システムは、移動通信網１０００に接続された情報配信サーバ１００と、移動通信網１０００に接続された広告事業者端末２０と、移動通信網１０００に接続された交換局１０１０と、この交換局１０１０に接続された複数の基地局１０２０と、各基地局１０２０毎に形成された通信が可能な通信可能エリア内に存在するときに通信を可能にする移動体端末１０と、によって構成されている。
　ここで、広告事業者端末２０は、例えばパソコン（パーソナルコンピュータ）であり、移動通信網１０００を介して情報配信サーバ１００等と通信する機能を有している。広告事業者端末２０内には、本実施形態に係る情報配信システムを利用するために必要なソフトウェアが予めインストールされている。例えば、この広告事業者端末２０は、情報配信サーバ１００に情報（例えば、広告）の配信を依頼する広告事業者によって運営されている。
【００２５】
［１・２］　移動体端末１０の構成
　次に、移動体端末１０の構成について、図２を参照しつつ説明する。
　移動体端末１０は、例えば携帯電話やＰＨＳであり、例えばＧＰＳ（Global Positioning System）等の測位機能を備えている。この移動体端末１０はＰＤＡ（Personal Digital Assistants）であってもよい。
　図２に示すように、移動体端末１０は、ＣＰＵ(Central Processing Unit)１１と、ＲＡＭ(Randam Access Memory)１２と、ＲＯＭ(Read Only Memory)１３と、表示装置１４と、キーパッドからなる入力装置１５と、通話装置１６と、送受信装置１７と、ＧＰＳ受信機１８と、これらを相互に接続するバス１９とによって大略構成されている。
【００２６】
　ＲＯＭ１３には、通常の移動体端末１０として機能する会話モードに必要な処理プログラムに加えて、本実施形態ではデータの配信を受けるための処理プログラム、移動体端末１０の位置を測定するための処理プログラム等が格納されている。ＲＡＭ１２には移動体端末１０の加入者番号が自己ＩＤとして記憶される。
【００２７】
　また、表示装置１４は、移動体端末１０の表面に設けられた例えば液晶表示装置からなり、例えば、時刻表示、電話番号表示、各種設定表示、さらに受信した情報の表示等を行うものである。通話装置１６は、マイクとスピーカとによって構成されている。
　さらに、ＧＰＳ受信機１８にはアンテナ１８Ａが設けられている。このＧＰＳ受信機１８は、２４個のＧＰＳ衛星（図示せず）のうち、少なくとも３個以上の衛星から送信される電波を、アンテナ１８Ａを介して受信する。そして、ＣＰＵ１１は、ＲＯＭ１３に格納された処理プログラムによって、このＧＰＳ受信機１８で検出されたデータに基づいて、移動体端末１０の位置を経度、緯度の座標とした測位データを算出する。
　なお、本実施形態では、移動体端末１０を使用する者をユーザと称する。
【００２８】
［１・３］　情報配信サーバ１００の構成
　図３は、情報配信サーバ１００の機能ブロック図である。
　情報配信サーバ１００は、データ送受信部１０１、制御部１０２、ユーザ位置管理部１０３、ユーザ位置管理データベース１０４、ゾーン管理部１０５、ゾーン管理データベース１０６、検出端末管理部１０７、検出端末管理データベース１０８、情報配信管理部１０９および情報配信管理データベース１１０を備えている。
【００２９】
　データ送受信部１０１は、移動通信網１０００、交換局１０１０および基地局１０２０を介して接続される移動体端末１０との間で、無線通信によるデータの授受を行う。
　制御部１０２は、管理部１０３，１０５，１０７，１０９の動作を制御する機能を有する。また、制御部１０２は移動体端末１０に対してデータ送受信部１０１を用いた情報の配信を実行する。
【００３０】
　ユーザ位置管理部１０３は、制御部１０２の制御によって、一定時間毎（例えば、３０分毎）に移動体端末１０に対してユーザ位置を要求するものである。移動体端末１０は、この要求を受けると、当該移動体端末１０の位置を示した測位データを情報配信サーバ１００に送信する。また、情報配信サーバ１００のユーザ位置管理部１０３は、この測位データを受けて、このデータをユーザ位置管理データベース１０４に記憶更新すると共に、検出端末管理部１０７に供給する。
　図４はユーザ位置管理データベース１０４の内容を模式的に示す図である。図４に示すようにユーザ位置管理データベース１０４は、移動体端末１０を特定するユーザのＩＤ番号と、当該移動体端末１０の位置情報（本実施形態では緯度、経度の情報）が対応付けて格納されている。ここで、ユーザのＩＤ番号は、移動体端末１０の電話番号等である。
【００３１】
　ゾーン管理部１０５は、予め公告事業者によって設定されたゾーンを管理する。ここで、ゾーンは、基地局１０２０が移動体端末１０との間で通信が可能な通信可能エリアに対して独立して設定された地域のことである。
　このゾーンは予めゾーン管理データベース１０６に記憶されている。
　図５はゾーン管理データベース１０６ 内容を模式的に示す図である。図５に示すようにゾーン管理データベース１０６は、ゾーンを特定するゾーン番号と、当該ゾーンを決めるデータとが対応付けて格納されている。
【００３２】
　ここで、ゾーンと通信可能エリアとの関係を、図８〜図１０に基づいて説明する。
　図８〜図１０において、細線で区切られた六角形の範囲が１個の基地局１０２０によって通信が可能な通信可能エリアであり、塗りつぶされた部分が事業者側で予め設定されたゾーンである。
　図８は通信可能エリアよりも小さいゾーンを設定した場合、図９はゾーンが３つに通信可能エリアを跨いで設定した場合、図１０は多数個の通信可能エリアによってゾーンを設定した場合をそれぞれ示している。
　このように、ゾーンは、通信可能エリアに拘束されずに、広告事業者によって任意に設定されるものである。
【００３３】
　検出端末管理部１０７は、制御部１０２の制御によって、ユーザ位置管理部１０３から通知された移動体端末１０の測位データから、この移動体端末１０が指定されたゾーン内に存在しているか否かを判定する。これにより、検出端末管理部１０７は、測位データを送信した多数個の移動体端末１０のうち、指定されたゾーン内に存在する移動体端末１０のみを検出するようになっている。
　そして、検出端末管理部１０７は、検出端末管理データベース１０８に検出された移動体端末１０のＩＤをゾーンに対応付けて記憶更新する。
　図６は検出端末管理データベース１０８の内容を模式的に示す図である。図６に示すように検出端末管理データベース１０８は、ゾーン番号と、検出された移動体端末１０のＩＤ番号が、ゾーン番号に対応付けて格納されている。
【００３４】
　情報配信管理部１０９は、ゾーンに対して配信される情報を管理するもので、配信情報は、ゾーンに対応付けて情報配信管理データベース１１０に格納されている。
　図７は情報配信管理データベース１１０の内容を模式的に示す図である。図７に示すように、情報配信管理データベース１１０は、情報配信を行うゾーンに対応した情報が格納されている。具体的には、例えばゾーン番号Ｚ１０に対応した情報が「○○ストアー食料品が半額！！」であり、ゾーン番号Ｚ１１に対応した情報が「△△ストアー衣類が三割引！！」である。
【００３５】
［１・４］　実施形態の動作
　次に、実施形態による動作概要を、図１１のシーケンスチャートに基づいて説明する。この動作の概要については、情報配信を行うための準備動作、実際に情報配信を行う際の動作に分けて説明する。
【００３６】
［１・４・１］　情報配信のための準備動作
　まず、情報配信を行うための準備動作について説明する。
　はじめに、広告事業者は広告事業者端末２０を用いてゾーン登録を行う（ステップＳａ１）。ゾーン登録により、広告事業者は自己の提供する情報の配信地域（ゾーン）を指定することができ、前述した如く、このゾーンは、通信可能エリアに拘束されずに、事業者の任意に設定される。
　情報配信サーバ１００のゾーン管理部１０５は指定されたゾーンに対してゾーン番号を割当て、図５に示すように、ゾーン番号に対応付けて指定領域をゾーン管理データベース１０６に記憶する（ステップＳａ２）。そして、広告事業者端末２０に対してゾーン登録の完了通知としてゾーン番号を表示させる。
【００３７】
［１・４・２］　情報配信の動作
　次に、情報配信を行う際の動作内容について説明する。
　情報配信サーバ１００の情報配信管理部１０９は所定期間毎（例えば３０分毎）に移動体端末１０に対する情報配信を実行する。この情報配信に先立ち、ユーザ位置管理部１０３は、移動体端末１０の位置を検索する（ステップＳｂ１）。
　この検索に対し、移動体端末１０は現在位置の情報を測位データとして情報配信サーバ１００に通知する（ステップＳｂ２）。このように、情報配信管理部１０９は、多数個の移動体端末１０についての位置情報を取得する（ステップＳｂ３）。
【００３８】
　情報配信サーバ１００のユーザ位置管理部１０３は、取得した移動体端末１０の位置情報を、図４に示すようにユーザ位置管理データベース１０４に格納する。また、検出端末管理部１０７は、この位置情報による移動端末１０の位置が情報配信すべきゾーン内に有るか否かを判定し、ゾーン内に存在している場合には、検出端末管理データベース１０８の内容を更新する。即ち、位置情報とゾーン管理データベース１０６の内容とを比較することにより、各ゾーン内に存在する移動体端末１０を検出することになる（以上、ステップＳｂ４）。
【００３９】
　その後、情報配信サーバ１００の情報配信管理部１０９は、検出した移動体端末１０に対しての情報配信を実行する（ステップＳｂ５）。
　そして、ゾーン内に存在する移動体端末１０のユーザは情報を取得する（ステップＳｂ６）。
【００４０】
　さらに、情報配信管理部１０９は、情報配信を行った旨を広告業者端末２０に通知する（ステップＳｂ７）。この表示内容により、広告事業者は自己の提供した情報の配信が実行されたことを認識する。
　以上が、情報配信システムの動作の概要である。
【００４１】
［１・４・３］　具体例
　ここで、情報配信についての具体例について、図１２ないし図１４に基づいて説明する。○○ストアーと△△ストアーは、共に広告事業者であり、広告事業者端末を操作する。
　今、図１２に示すように、川を挟んで○○ストアー２０Ａと△△ストアー２０Ｂとがあり、川には一つの橋が架かっている。また、△△ストアー２０Ｂ側には移動体端末１０Ａを使用するユーザが居る場合を例示する。
　図１３は、固定設置された基地局によって形成される通信可能エリアを書き加えた図である。図１３では、中央に位置した基地局１０２０Ａのみを図示する。
　通信可能エリアは、中央に位置した通信可能エリアＡ１、右上に位置した通信可能エリアＡ２、右横に位置した通信可能エリアＡ３、右下に位置した通信可能エリアＡ４、左下に位置した通信可能エリアＡ５、左横に位置した通信可能エリアＡ６、左上に位置した通信可能エリアＡ７となる。
　ところで、通信可能エリアは、固定設置された基地局１０２０によって形成されているために固定状態である。このため、○○ストアー２０Ａは、図１３中の中央に位置した通信可能エリアＡ１の範囲に入っているものの、△△ストアー２０Ｂはこの通信可能エリアＡ１から逸脱することになる。
　ここで、従来技術のように、特定の通信管理エリアＡ１、Ａ４にそれぞれ情報を配信する場合を考える。例えば、情報配信サーバ１００は、○○ストアー２０Ａの広告を中央の通信管理エリアＡ１に限って配信し、△△ストアー２０Ｂの広告を右下の通信管理エリアＡ４に限って配信したとする。この場合、移動体端末１０Ａには、通信可能エリアの関係から、近くの△△ストアー２０Ｂからの広告が配信されずに、離れた位置でしかも道のりの遠い○○ストアー２０Ａからの広告が配信されてしまうことになる。
【００４２】
　そこで、広告事業者が前述した処理によって、図１４に示すようにゾーンを設定する。
　例えば、情報配信サーバ１００は、○○ストアー２０Ａからの要求によって、川を挟んだ一側に長方形のゾーンＺＺ１０（ゾーン番号Ｚ１０）を設定し、△△ストアー２０Ｂからの要求によって、川を挟んだ他側に長方形のゾーンＺＺ１１（ゾーン番号Ｚ１１）を設定する（ステップＳａ１）。
　そして、情報配信サーバ１００は、多数個の移動体端末１０からの位置情報を取得し（ステップＳｂ３）、ゾーンＺＺ１０内に存在する移動体端末１０、ゾーン番号ＺＺ１１内に存在する移動体端末１０をそれぞれ検出する（ステップＳｂ４）。その後、情報配信サーバ１００は、各ゾーン毎に対応した情報を配信する。この情報は、ゾーンＺＺ１０に対しては、「○○ストアー食料品が半額！！」、ゾーンＺＺ１１に対しては「△△ストアー衣類が三割引！！」といった内容である。
　これにより、移動体端末１０Ａには、近くの△△ストアー２０Ｂから「△△ストアー衣類が三割引！！」という情報が配信されることになる。
【００４３】
［１・５］　第１実施形態の効果
　以上述べた如く、本実施形態によれば、通信可能エリアに拘束されずに、広告事業者が任意に設定したゾーン内に存在する移動体端末に対して情報の配信を行うことができる。
　これにより、ユーザにとって不必要な情報が配信されるのを低減し、ユーザの煩わしさを大幅に軽減することができる。
【００４４】
［２］　第２実施形態
［２・１］　第２実施形態の大略構成
　図１５は、本発明の第２実施形態による情報配信システムの構成図である。
　本実施形態による特徴は、予め情報配信サーバ２００に登録されてグループをなす移動体端末１０が、指定されたゾーン内に存在しているときにのみ、情報の配信を行う点にある。なお、本実施形態では、前述した第１実施形態と同一の構成要素に同一の符号を付し、その説明を省略するものとする。
　情報配信システムは、移動通信網１０００に接続された情報配信サーバ２００と、移動通信網１０００に接続された広告事業者端末２０と、移動通信網１０００に接続された交換局１０１０と、この交換局１０１０に接続された複数の基地局１０２０と、各基地局１０２０毎に形成された通信が可能な通信可能エリア内に存在するときに通信を可能にする移動体端末１０と、によって構成されている。
【００４５】
［２・２］　情報配信サーバ２００の構成
　図１６は、情報配信サーバ２００の機能ブロック図である。
　情報配信サーバ２００は、第１実施形態で述べた情報配信サーバ１００とほぼ同様に、データ送受信部１０１、制御部１０２、ユーザ位置管理部１０３、ユーザ位置管理データベース１０４、ゾーン管理部１０５、ゾーン管理データベース１０６、情報配信管理部１０９および情報配信管理データベース１１０を備え、さらにグループ管理部２１０、グループ管理データベース２１１、検出端末管理部２２０および検出端末管理データベース２２１を具備している。
【００４６】
　グループ管理部２１０は、予めユーザによって登録されたグループを管理するものである。図１７はグループ管理データベース２１１の 内容を模式的に示す図である。図１７に示すように、グループ管理データベース２１１は、グループを特定するグループ番号と、登録された移動体端末１０のＩＤ番号が、グループ番号に対応付けて格納されている。
【００４７】
　検出端末管理部２２０は、制御部１０２の制御によって、ユーザ位置管理部１０３から通知された移動体端末１０の測位データから、この移動体端末１０が指定されたゾーン内に存在しているか否か、且つ指定されたグループに属しているか否かを判定する。これにより、検出端末管理部２２０は、測位データを送信した多数個の移動体端末１０のうち、指定されたゾーン内に存在し、且つグループに属する移動体端末１０のみを検出するようになっている。
　そして、検出端末管理部２２０は、検出端末管理データベース２２１に検出された移動体端末１０のＩＤをゾーンに対応付けて記憶更新する。
　図１８は検出端末管理データベース２２１の内容を模式的に示す図である。図１８に示すように、検出端末管理データベース２２１は、ゾーン番号と、検出された移動体端末１０のＩＤ番号とを、ゾーン番号に対応付けてグループ毎に格納している。
【００４８】
［２・３］　実施形態の動作
　次に、実施形態の動作を説明する。はじめに動作の概要について、情報配信を行うための準備動作、実際に情報配信を行う際の動作に分けて説明する。
【００４９】
［２・３・１］　情報配信のための準備動作
　図１９のシーケンスチャートに従って情報配信を行うための準備動作について説明する。
　はじめに、広告事業者は広告事業者端末２０を用いてゾーン登録を行う（ステップＳｃ１）。広告事業者は、このゾーン登録により、自己の提供する情報の配信地域（ゾーン）を指定することができる。
　情報配信サーバ２００のゾーン管理部１０５は、指定されたゾーンに対してゾーン番号を割当てる（ステップＳｃ２）。そして、広告事業者端末２０に対してゾーン登録の完了通知としてゾーンＩＤを表示させる。
　その後、広告事業者は、自己の提供情報についての宣伝を行い、ユーザに対して後述する配信希望登録を促す（ステップＳｃ３）。
【００５０】
　情報配信を所望するユーザは移動体端末１０を用いて配信希望登録を行う（ステップＳｃ４）。グループ管理部２１０は、グループ番号と、登録された移動体端末１０のＩＤ番号が、グループ番号に対応付けてグループ管理データベース２１１に格納する。そして、配信希望登録があった旨を広告事業者端末２０に通知する（ステップＳｃ５）。かかる通知により、広告事業者は、自己の提供情報について配信を希望するユーザの存在を認識することができる。
【００５１】
　その後、広告事業者は、広告事業者端末２０を用いて広告登録を行う（ステップＳｃ６）。即ち、広告事業者は、広告登録を行うことにより、配信情報の登録および当該配信情報の配信を行う地域（ゾーン）を指定する。これにより、広告事業者は、ゾーンを指定することによって、当該ゾーン内に存在するグループを間接的に指定することになる。ゾーンの指定は上述したゾーン番号によって行う。
　情報配信管理部１０９は、広告登録の内容を情報配信管理データベース１１０に格納する（ステップＳｃ７）。
【００５２】
［２・３・２］　情報配信の動作
　次に情報配信を行う際の動作内容について、図２０のシーケンスチャートに基づいて説明する。
　情報配信サーバ２００の情報配信管理部１０９は所定期間毎（例えば３０分毎）に移動体端末１０に対する情報配信を実行する。この情報配信に先立ち、ユーザ位置管理部１０３は、移動体端末１０の位置を検索する（ステップＳｄ１）。
　この検索に対し、移動体端末１０は現在位置の情報を測位データとして情報配信サーバ２００に通知する（ステップＳｄ２）。このように、情報配信管理部１０９は、多数個の移動体端末１０についての位置情報を取得する（ステップＳｄ３）。
【００５３】
　情報配信サーバ２００のユーザ位置管理部１０３は、取得した移動体端末１０の位置情報を、図４に示すようにユーザ位置管理データベース１０４に格納する。また、検出端末管理部２２０は、この位置情報により情報配信すべきゾーン内に存在する移動端末１０を検出する（ステップＳｄ４）。
【００５４】
　さらに、情報配信サーバ２００の検出端末管理部２２０は、検出された各ゾーン内に存在する移動体端末１０のうち、予め登録されたグループに属している移動体端末１０を検出する（ステップＳｄ５）。そして、検出端末管理データベース２２１には、図１８に示すように、検出された移動体端末１０のＩＤ番号が、ゾーン番号に対応付けてグループ毎に格納される。
【００５５】
　その後、情報配信サーバ２００の情報配信管理部１０９は、検出した移動体端末１０に対して情報配信を実行する（ステップＳｄ６）。
　そして、ゾーン内に存在する移動体端末１０のユーザは情報を受信する（ステップＳｄ７）。
【００５６】
　さらに、情報配信管理部１０９は、情報配信を行った旨を広告業者端末２０に通知する（ステップＳｄ８）。この表示内容により、広告事業者は自己の提供した情報の配信が実行されたことを認識する。
　以上が、情報配信システムの動作の概要である。
【００５７】
［２・４］　具体例
　ここで、情報配信についての具体例を説明する。
　いま、広告事業者から「ＸＸラーメン　本日全品半額サービス！」という情報Ｎが広告登録された場合を想定する。
　そして、「渋谷駅から半径１ｋｍ」の範囲がゾーンとして設定された場合を想定する（図１９：ステップＳｃ６）。
【００５８】
　図２１は、移動体端末１０を所持するユーザＡ、Ｂ、Ｃが指定ゾーン（渋谷駅から半径１ｋｍの地域）周辺に存在する場合を模式的に示す図である。
　情報配信サーバ２００は情報Ｎの配信に先立ち、まず、移動体端末１０の位置情報を取得する（図２０：ステップＳｄ３）。そして、検出端末管理部２２０は、指定ゾーン内に位置する移動体端末１０を検出する（図２０：ステップＳｄ４）。図２１に示す場合であれば、ユーザＡ、Ｂの２人が指定ゾーン内に位置することになる。
【００５９】
　さらに、検出端末管理部２２０は、ユーザＡ、Ｂのうち、予め登録したグループに属しているか否かを判別する（図８：ステップＳｂ６）。具体的には、ユーザＡ、Ｂの各々について、ラーメンに係る情報配信を所望しているユーザであるか否かを判別する。図２１における例では、ユーザＡのみが情報配信すべきユーザであることが判別される。
　この判別後、情報配信サーバ２００の情報配信管理部１０９は、ユーザＡの移動体端末１０に対して情報Ｎを配信する。配信指定ゾーンに位置しないユーザＣや、指定ゾーンには位置しているがラーメンに係る情報配信を所望していないユーザＢに対して情報Ｎは配信されない。
【００６０】
［２・５］　第２実施形態の効果
　このように、本実施形態によるシステムでは、指定したゾーン内に存在する全ての移動体端末１０に対して情報配信が行われず、指定したゾーン内に存在し、且つ予め登録された移動体端末１０に対してのみ情報配信が行われることになる。
　この結果、ユーザのニーズに合った情報をユーザの位置に対応付けて迅速に配信することが可能となる。
【００６１】
［３］　変形例
　以上、本発明の実施形態の説明を行ったが、上記実施形態はあくまでも本発明の一例であり、本発明の趣旨の範囲内で任意に変形を加えることができる。例えば以下のようなものが考えられる。
【００６２】
（１）　変形例１
　前記各実施形態においては、制御部１０２の制御下において、ユーザ位置管理部１０３等の各部における処理を実行させるものとしたが、本発明はこれに限らず、各部をサーバとして独立させ、サーバ間において情報処理を行う構成としてもよい。
【００６３】
（２）　変形例２
　ゾーン登録や広告登録の方法についても任意に変形することが可能である。
　即ち、前記各実施形態においては、ゾーン登録を行った後で、広告登録について行うようにしたが、広告登録をする際に同時にゾーン登録を行うようにしてもよい。
　ゾーン登録は、上述した実施形態において例示した「渋谷駅から半径１ｋｍ以内」というように基準物（渋谷駅）を使用して行ってもよい。また、緯度と経度を具体的に指定して登録する方法であってもよい。この場合、緯度と経度の値を３点以上指定し、指定した点により生成される多角形（ポリゴン）の内部地域をゾーンとして扱うものであってもよい。この方法によれば任意の地域をゾーンとして登録することも可能となる。
　さらに、予め複数のゾーン登録を行いゾーンＩＤ番号を取得しておき、広告登録する際に複数のゾーンＩＤ番号により情報配信先を指定するようにしてもよい。
【００６４】
（３）　変形例３
　本発明は、ゾーンを任意に設定することが可能である。
　即ち、ゾーン管理データベース１０６に格納されるゾーンを県毎に設定し、情報管理データベースに例えば気象情報を記憶するものとする。この際、ゾーンを具現化すると図２２のようになる。
　このように、情報配信システムを構成することにより、例えば、群馬に「大雨洪水注意報が発令されています！！」という気象情報を、群馬県内に存在する移動体端末１０に配信することも可能となる。
【００６５】
（４）　変形例４
　前記各実施形態では、ＧＰＳを用いて移動体端末１０の位置を検出するようにしたが、本発明はこれに限らず、他の測位方法であってもよい。
　ＰＨＳは基地局と移動体端末１０との通信が可能な通信可能エリアが、携帯電話に比べて大幅に狭く、例えば５０〜１００ｍ程度である。このため、移動体端末１０には、ＧＰＳ等の測位手段を備えずに、基地局の位置で当該移動体端末１０の位置を測定するようにしてもよい。この場合、位置情報に誤差を含んでいるため、検出端末管理部でゾーン内に移動体端末１０が存在しているか否かを判定する場合には、この誤差を考慮して判定すればよい。
【００６６】
（５）　変形例５
　本発明による情報配信システムを用いて送信される情報としては、例えば道路工事の情報、渋滞情報、事故等の交通情報であってもよい。
　具体的には、移動体端末車両を、備えられたカーナビゲーション装置に携帯電話を接続することによって構成する。例えば、道路工事の情報を配信する場合を例示する。日本道路公団や工事主催者が情報配信依頼主となり、この情報配信依頼主は、情報配信サーバに対して道路の工事箇所から上り５キロの範囲をゾーンとする指令と、「この先、□□交差点付近で工事中！！」という配信情報を送信する。情報配信サーバは、この指令を受けてゾーンを設定する。これにより、情報配信サーバは、ゾーン内に侵入した移動体端末を備えた車両に対し、先の工事情報を送信する。
　このように、本発明による情報配信システムを用いて送信される情報は、広告情報、気象情報、交通情報に限らず、ユーザの位置に対応して必要な情報であれば如何なる情報であってもよい。
【図面の簡単な説明】
【００６７】
【図１】第１実施形態による情報配信システムを示す概略図である。
【図２】同実施形態に用いられる移動体端末を示すブロック図である。
【図３】同実施形態に用いられる情報配信サーバを示すブロック図である。
【図４】ユーザ位置管理データベースの内容を模式的に示す図である。
【図５】ゾーン管理データベースの内容を模式的に示す図である。
【図６】検出端末データベースの内容を模式的に示す図である。
【図７】情報管理データベースの内容を模式的に示す図である。
【図８】通信可能エリアとゾーンとの関係を示す図である。
【図９】図８と異なった通信可能エリアとゾーンとの関係を示す図である。
【図１０】図８および図９と異なった通信可能エリアとゾーンとの関係を示す図である。
【図１１】同実施形態による情報配信システムの動作を示すシーケンスチャートである。
【図１２】同実施形態による具体的な情報配信を説明するための図である。
【図１３】図１２に通信可能エリアを書き加えた図である。
【図１４】図１３にゾーンを書き加えた図である。
【図１５】第２実施形態による情報配信システムを示す概略図である。
【図１６】同実施形態に用いられる情報配信サーバを示すブロック図である。
【図１７】グループ管理データベースの内容を模式的に示す図である。
【図１８】検出端末データベースの内容を模式的に示す図である。
【図１９】同実施形態による情報配信システムの動作を示すシーケンスチャートである。
【図２０】図１９に続く情報配信システムの動作を示すシーケンスチャートである。
【図２１】同実施形態による具体的な情報配信を説明するための図である。
【図２２】変形例による情報配信システムを説明するための図である。
【符号の説明】
【００６８】
１０・・・移動体端末
２０・・・広告事業者端末
１００、２００・・・情報配信サーバ
１０１・・・データ送受信部
１０２・・・制御部
１０３・・・ユーザ位置管理部
１０４・・・ユーザ位置管理データベース
１０５・・・ゾーン管理部
１０６・・・ゾーン管理データベース
１０７、２２０・・・検出端末管理部
１０８、２２１・・・検出端末管理データベース
１０９・・・情報配信管理部
１１０・・・情報配信管理データベース
２１０・・・グループ管理部
２１１・・・グループ管理データベース
１０００・・・移動通信網
１０２０・・・基地局
【図１】
2004104778.tif 000003
【図２】
2004104778.tif 000004
【図３】
2004104778.tif 000005
【図４】
2004104778.tif 000006
【図５】
2004104778.tif 000007
【図６】
2004104778.tif 000008
【図７】
2004104778.tif 000009
【図８】
2004104778.tif 000010
【図９】
2004104778.tif 000011
【図１０】
2004104778.tif 000012
【図１１】
2004104778.tif 000013
【図１２】
2004104778.tif 000014
【図１３】
2004104778.tif 000015
【図１４】
2004104778.tif 000016
【図１５】
2004104778.tif 000017
【図１６】
2004104778.tif 000018
【図１７】
2004104778.tif 000019
【図１８】
2004104778.tif 000020
【図１９】
2004104778.tif 000021
【図２０】
2004104778.tif 000022
【図２１】
2004104778.tif 000023
【図２２】
2004104778.tif 000024